(57)【要約】【課題】本願の課題は、液晶表示パネルの表示領域周辺の額縁の機能を向上させることが可能な液晶表示パネルを提供することである。【解決手段】本発明による液晶表示パネルは、画像を表示する表示領域、及び前記表示領域周囲の額縁領域を有する。額縁領域には、透明基板と、ある色のカラーフィルタ層及び別の色のカラーフィルタ層を含み、互いに隣り合う位置関係で前記透明基板上に設けられた複数のカラーフィルタ層と、前記複数のカラーフィルタ層に対向する第１電極層と、前記第１電極層に対向する第２電極層と、前記第１及び第２電極層の間に介在する液晶層が設けられる。本発明によれば、額縁に専用のＢＭ層の必要性を排除することが可能になる。また、額縁近辺の表示斑を抑制することが可能になる。更に、額縁が意図されていない色に色付くことを抑制することが可能になる。【選択図】  図９
2004302297.tif 000002
【特許請求の範囲】
【請求項１】
画像を表示する表示領域、及び前記表示領域周囲の額縁領域を有する液晶表示パネルであって、前記額縁領域において、
透明基板と、
ある色のカラーフィルタ層及び別の色のカラーフィルタ層を含み、互いに隣り合う位置関係で前記透明基板上に設けられた複数のカラーフィルタ層と、
前記複数のカラーフィルタ層に対向する第１電極層と、
前記第１電極層に対向する第２電極層と、
前記第１及び第２電極層の間に介在する液晶層
を備えることを特徴とする液晶表示パネル。
【請求項２】
前記複数のカラーフィルタ層に、赤色、緑色及び青色のカラーフィルタ層が含まれることを特徴とする請求項１記載の液晶表示パネル。
【請求項３】
前記液晶層が、ノーマリブラックモードの液晶より成ることを特徴とする請求項１記載の液晶表示パネル。
【請求項４】
前記第１及び第２電極層が、同電位に維持されることを特徴とする請求項１記載の液晶表示パネル。
【請求項５】
前記額縁領域内のカラーフィルタ層の膜厚が、前記表示領域内のカラーフィルタ層の膜厚に等しいことを特徴とする請求項１記載の液晶表示パネル。
【発明の詳細な説明】
【０００１】
【発明の属する技術分野】
本発明は、一般に液晶表示装置の技術分野に関し、特にカラー表示を行う液晶表示パネルに関する。
【０００２】
【従来の技術】
概して、液晶表示パネルは、背面からのバックライトを、配向方向の制御された液晶層に透過させることで、所望の画像を正面の表示領域に表示する。この場合に、表示領域周囲から余分な光が洩れることを抑制するために、表示領域周囲に黒色の額縁領域を設けるのが一般的である。
【０００３】
図１は、液晶表示パネルの模式的な図を示す。液晶表示パネルには、画像を表示する表示領域１０２と、この表示領域周囲の額縁領域１０４とが含まれる。額縁領域１０４は、用途によっても異なるが、例えば２ｍｍ程度の幅（ｗ）を有する。
【０００４】
図２は、従来の液晶表示パネルの部分断面図を示す。図示されている部分は、表示領域２０２と額縁領域２０４の境界付近であり、図１の参照番号１０８で示される部分に対応させることが可能である。ガラス基板２０６には、薄膜トランジスタ２０８が形成されている。薄膜トランジスタ２０８の各々には、画素電極２１０が接続されている。これらの薄膜トランジスタ２０８は、表示領域２０２における画素に対する電荷の充放電を制御する。他方のガラス基板２１２には、画素電極２１０の各々に対応してカラーフィルタ２１４が設けられており、これらは例えば赤色（Ｒ），緑色（Ｇ）及び青色（Ｂ）に着色されている。カラーフィルタ２１４の幅は、用途によっても異なるが、例えば、１つの色につき１００μｍ程度の大きさを有する。カラーフィルタ２１４には、接地電位のような基準電位に維持されるコモン電極又は対向電極２１６が設けられている。画素電極２１０及びコモン電極２１６は、例えばＩＴＯ（錫の添加された酸化インジウム）のような透明電極より成る。また、ガラス基板２１２の額縁領域２０４の側には、ブラックマトリクス層（ＢＭ層）と呼ばれる遮光膜２１８が設けられている。この遮光膜２１８は、例えば０．１〜０．２μｍのクロム（Ｃｒ）より成る。２枚のガラス基板２０６及び２１２は、それらの間に設けられるシール材２２０及びビーズスペーサ２２２によって支持され、それらの間には液晶が封入されている。
【０００５】
この従来例では、表示用の光（バックライト）は、ガラス基板２０６の側から照射される。表示領域２０２では、各薄膜トランジスタ２０８により、電極２１０，２１６間の電圧及びその結果として液晶分子の配向方向を制御しながら、ガラス基板２１２側に画像を表示する。この場合に、額縁領域２０４の側にも光が導入されるが、その光は、遮光膜２１８によって反射又は遮光され、ガラス基板２１２側には透過しない。このようにして、画像に寄与しない不要な光が正面に（ガラス基板２１２の側）洩れないようにすることが可能になる。
【０００６】
図３は、従来の他の液晶表示パネルの部分断面図を示す。図２に説明したのと同様の要素には、同じ参照番号を付している。この例では、遮光膜２１９が、例えば１〜１．５μｍの膜厚の樹脂ブラック層で形成されている点が異なる。また、対向電極２１６及びカラーフィルタ２１４の間、並びに遮光膜２１９上には、例えばアクリル樹脂より成る保護層（オーバーコート層）２１７が形成されている。
【０００７】
図４も、従来の他の液晶表示パネルの部分断面図を示す。図２に説明したのと同様の要素には、同じ参照番号を付している。この例では、薄膜トランジスタ２０８側に、カラーフィルタ２１４及び樹脂より成る遮光膜２１９が設けられている点が異なる。この構造は、ＣＦｏｎＴＦＴ（Ｃｏｌｏｒ  Ｆｉｌｔｅｒ  ｏｎ
Ｔｈｉｎ  Ｆｉｌｍ  Ｔｒａｎｓｉｓｔｏｒ）とも呼ばれている。
【０００８】
図２乃至図４に示されるような液晶表示パネルでは、表示領域２０２の周囲に、金属や樹脂より成る遮光膜（ＢＭ層）２１８，２１９を設けることで、額縁領域２０４を形成している。このようにすることで、余分な光を良好に遮蔽することが可能になる。しかしながら、これらの液晶表示パネルは、額縁領域に専用の遮蔽膜を形成する必要がある。表示領域を作成するための工程に加えて、別途額縁領域を作成するための工程を行うことを要するので、この手法は、製造工程の簡略化やコスト等の観点からは不利である。
【０００９】
図５は、従来の他の液晶表示パネルの部分断面図を示す。図２に説明したのと同様の要素には、同じ参照番号を付している。この例では、額縁領域２０４にて、カラーフィルタ２１５が３段に積層されている。額縁領域に入射したバックライトは、３つのカラーフィルタを通過することで大幅に減衰し、基板２０２の側にほとんど透過しないようにすることができる。個々のカラーフィルタ２１５の材質及び膜厚は、表示領域におけるカラーフィルタ２１４のものと同じである。従って、表示領域におけるカラーフィルタ２１４を作成する際に、額縁領域のカラーフィルタ２１５も同時に作成することが可能である。このため、図２乃至図４に示される例で懸念された製造工程数等に関する問題を回避することが可能になる。このような構造の液晶表示パネルについては、例えば特許文献１に開示されている。
【００１０】
【特許文献１】
特開２０００−２９０１４号公報
【００１１】
【発明が解決しようとする課題】
しかしながら、図５に示されるような構造を採用すると、表示領域と額縁領域との間に段差ｄが生じてしまう。この段差は、用途によっても異なるが、例えばカラーフィルタの膜厚が１．８μｍである場合に、２〜３μｍになり得る。このような段差に起因して、液晶表示パネルの間隔（セルギャップ）は、その中央部よりも周辺部（額縁領域近辺）の方で大きくなる。このため、表示領域２０２の周辺（額縁領域２０４付近）では、中央部よりも明るくなって表示斑が生じ、画像品質が劣化してしまう。
【００１２】
また、２枚のガラス基板２０６及び２１２を貼り合わせた後に、その中に液晶を充填する際に、段差ｄによる液晶の流路の広狭に起因して、液晶の充填される速度が減少してしまう。このため、液晶表示パネルの製造工程におけるスループットが低下することが懸念される。更に、そのような段差に起因して、液晶を隅々まで充填すること自体が困難になることも懸念される。
【００１３】
図６は、従来の他の液晶表示パネルの部分断面図を示す。図２に説明したのと同様の要素には、同じ参照番号を付している。この例では、額縁領域にて、透過率の低い青色（Ｂ）に関するカラーフィルタ２１５が１層だけ設けられている。このようにすると、図５の例で懸念された段差に関する問題点を回避することは可能になるが、１層のカラーフィルタ２１５だけでは遮光能力が不足し、額縁を黒く見せる額縁の機能は劣化することになる。この例では、額縁領域２０２は、純粋な黒色よりも青みがかった色に色付いて見えることになる。ちなみに、図２乃至図４の金属又は樹脂より成る遮光膜２１８は、３〜４の光学濃度ＯＤ値を与える。（ＯＤ値は、それが大きいほど遮光能力が高いことを示す。）これに対して、図６の場合のＯＤ値は２．０以下になってしまう。すなわち、図６に示す例は、段差に関する問題点を回避する代りに、額縁の機能を犠牲にしている。
【００１４】
本願の課題は、液晶表示パネルの表示領域周辺の額縁の機能を向上させることが可能な液晶表示パネルを提供することである。
【００１５】
本願の別の課題は、液晶表示パネルの表示領域周辺の額縁の機能を向上させることが可能であり、額縁に専用のＢＭ層を設けることを要しない液晶表示パネルを提供することである。
【００１６】
本願の別の課題は、液晶表示パネルの表示領域周辺の額縁の機能を向上させることが可能であり、額縁近辺の表示斑を抑制することが可能な液晶表示パネルを提供することである。
【００１７】
本願の別の課題は、液晶表示パネルの表示領域周辺の額縁の機能を向上させることが可能であり、額縁が意図されていない色に色付くことを抑制することが可能な液晶表示パネルを提供することである。
【００１８】
【課題を解決するための手段】
本発明によれば、
画像を表示する表示領域、及び前記表示領域周囲の額縁領域を有する液晶表示パネルであって、前記額縁領域において、
透明基板と、
ある色のカラーフィルタ層及び別の色のカラーフィルタ層を含み、互いに隣り合う位置関係で前記透明基板上に設けられた複数のカラーフィルタ層と、
前記複数のカラーフィルタ層に対向する第１電極層と、
前記第１電極層に対向する第２電極層と、
前記第１及び第２電極層の間に介在する液晶層
を備えることを特徴とする液晶表示パネル
が、提供される。
【００１９】
【発明の実施の形態】
図７は、本願実施例による液晶表示パネルを製造する際に形成される薄膜トランジスタの基本構造を示す。この薄膜トランジスタは、概して次のようにして作成される。例えばガラスより成る透明基板７０２に、ゲート電極を形成するための導電膜が成膜される。この導電膜は、例えば、１５０ｎｍの膜厚のアルミニウム（Ａｌ）、９０ｎｍの膜厚の窒化モリブデン（ＭｏＮ）及び１０ｎｍの膜厚のモリブデン（Ｍｏ）より成る。この導電膜の全面に感光性レジストを塗布し、所望の形状を転写し、不要な導電膜の部分を露出させた後にエッチングを行い、レジストを除去することで、ゲート電極（ゲートバスライン）７０４が形成される。ゲート電極７０４及び透明基板７０２上には、例えば３５０ｎｍの膜厚の窒化シリコン（ＳｉＮ）より成る絶縁膜７０６が成膜される。絶縁膜７０６上のゲート電極７０４に対向する位置には、アモルファスシリコンより成る半導体層７０８が形成される。更に、この半導体層７０８に接続されるソース及びドレイン電極７１０，７１２が形成される。ソース及びドレイン電極７１０，７１２は、例えば２０ｎｍの膜厚のチタニウム（Ｔｉ）、７５ｎｍの膜厚のアルミニウム（Ａｌ）及び８０ｎｍの膜厚のチタニウム（Ｔｉ）より成る。ソース電極及びドレイン電極７１０，７１２もフォトリソグラフィによってパターニングされる。そして、例えば３３０ｎｍの膜厚の窒化シリコン（ＳｉＮ）より成る保護膜７１４が形成される。
【００２０】
図８は、図７の工程の後に形成される構造を示す。図示されているように、透明基板７０２には、図７の工程にて形成された薄膜トランジスタ８０４が簡略化されて描かれている。薄膜トランジスタ８０４の各々に対して、カラーフィルタ８０６が設けられる。カラーフィルタは、例えば１．８μｍの膜厚に成膜され、フォトリソグラフィを利用して適切な形状にパターニングされる。カラーフィルタは１色毎に作成されるので、そのようなパターニングは、赤色（Ｒ），緑色（Ｇ）及び青色（Ｂ）の３回にわたって行われる。この場合において、本願実施例では、従来とは異なり、表示領域と額縁領域とを区別せずに、両者の領域にカラーフィルタ８０６が同様に形成される。
【００２１】
カラーフィルタ８０６の上には、例えば２．０μｍの膜厚の透明樹脂による保護膜（オーバーコート層）８１２が成膜される。更に、保護膜８１２上に、例えば７０ｎｍの膜厚のＩＴＯより成る画素電極８１２が形成される。なお、画素電極８１２は薄膜トランジスタ８０４の電極（ソース電極）に接続される。画素電極８１４をパターニングする際に、額縁領域の保護膜８１２上にも電極（共通電極）が形成されるようにパターニングが行われる。
【００２２】
図９は、図８の工程の後に形成される構造を示す。カラーフィルタ８０６、保護層８１２及び画素電極８１４に関する段差は省略されている。図示されているように、透明基板７０２とは別の透明基板８１６が用意され、この透明基板８１６には、透明基板７０２側の電極に対向する対向電極８１８が形成されている。これらの電極８１８，８１４，８１４’には、液晶分子の配向方向を規制するための配向膜が成膜される。２つの透明基板７０２，８１６は、シール材８２０及びビーズスペーサ８２２を利用して、両者の間に例えば４μｍのような適切な間隔を維持しながら貼り合わせられる。貼り合わせられた透明基板は、液晶表示パネルの大きさに合わせて裁断される。以後、透明基板間の空気を抜き真空にした後で液晶に浸すことで、透明基板間に液晶が充填され、液晶表示パネルの基本構造が完成する。
【００２３】
本実施例によれば、額縁領域９０４に、表示領域９０２と同様にカラーフィルタ８０６’が多数（例えば数十列）設けられている。額縁領域９０４におけるカラーフィルタ８０６’上には基準電位に維持されている電極８１４’が設けられている。更に、この電極８１４’は、液晶を介して対向電極８１８に対向している。
【００２４】
動作時にあっては、表示用の光（バックライト）が、透明基板７０２の側から照射される。表示領域９０２では、各薄膜トランジスタ８０４により液晶分子の配向方向が制御され、透明基板８１６の側に画像が表示される。この場合に、額縁領域９０４の側にも光が入射する。額縁領域９０４内の液晶に入射する光線は、３色の多数のカラーフィルタ８０６’を通過しているので、３色の合成された合成光となる。言い換えれば、額縁領域の液晶に入射する光線は、特定の色に色付いていない３原色の合成光である。従って、透明基板８１６の側からは、額縁領域９０２は、特定の色に色付いていない純粋な黒色に見える。この点、特定色（青色）の光線を液晶に入射させて、青みがかった黒色の額縁を形成していた従来技術（図６）と大きく異なる。
【００２５】
更に、額縁領域９０４における液晶が、黒色の状態になるように電極８１４’，８１６間に適切な電圧を与えることが望ましい。液晶表示パネルを駆動している際に、額縁領域９０４中の液晶分子が、表示領域９０２側からの電界の影響を受けて配向し、額縁領域９０４から余分な光が洩れる虞があるからである。そこで、例えば、ノーマリブラックモードの液晶であれば、電界がかけられていないときに黒色を表示するので（液晶分子が配向膜に垂直に配向しているので）、両電極をしきい値以下の電圧に維持することで、そのような光の洩れを抑制し、安定的に額縁領域を黒色に見せることが可能になる。また、ノーマリホワイトモードの液晶であれば、額縁領域の電極間に適切な駆動電位を与えることで、安定的に額縁領域を黒色に見せることが可能になる。
【００２６】
なお、本願実施例によるカラーフィルタ８０６’を形成せずに、電極８１４’及び８１８の間の液晶の状態を制御することで、額縁領域を黒く見せること自体は可能である。例えばノーマリブラックモードの液晶であれば、電圧を印加していない通常状態で黒色を表示させることができる。しかしながら、そのようにして形成された額縁は、明瞭な黒色ではなく、くすんだ黒色、薄い黒色、淡い黒色等のような色になり、額縁としての性能は低くなる。本実施例のように、３色の多数のカラーフィルタ８０６’を設け、特定色に色付いていない合成光を、黒表示状態の液晶に照射することで、額縁の性能を大きく向上させることが可能になる。
【００２７】
図１０は、他の実施例による液晶表示パネルの構造を示す。これは、図９に示される構造と同様であるが、ビーズスペーサ８２２（図９）を使用していない点が大きく異なる。即ち、２枚の透明基板を貼り合わせる前に、それらの双方又は一方に、約３．８μｍの高さの柱状スペーサ８２３を形成する。この柱状スペーサ８２３は、感光性のアクリル樹脂を利用して、フォトリソグラフィにより作成することが可能である。
【００２８】
以上説明したように、本願実施例による液晶表示パネルは、互いに隣り合う位置関係で透明基板上に設けられた複数のカラーフィルタ層を含み、これらには２色以上のカラーフィルタ層が含まれる。これらのカラーフィルタ層を通過した特定色に色付いていない光を、第１，第２電極間の液晶層に照射し得るので、額縁を明瞭な黒色に見せることが可能になる。このような機能は、複数のカラーフィルタ層及び液晶層等により行われるので、ＢＭ層のような専用の遮光層を設けることは必須ではない。
【００２９】
本願実施例によれば、複数のカラーフィルタ層に、赤色、緑色及び青色のカラーフィルタ層が含まれるので、特定の色に色付いていない合成光（白色光線）を液晶層に照射することが可能になる。このため、額縁領域にて鮮明な黒色を表示することが可能になる。
【００３０】
本願実施例によれば、液晶層が、ノーマリブラックモードの液晶より成り、第１及び第２電極層が、同電位に維持される。この状態の液晶層に、特定色に色付いていない光線を照射することで、額縁を効果的に黒色に見せることが可能になる。
【００３１】
本願実施例によれば、額縁領域内のカラーフィルタ層の膜厚が、表示領域内のカラーフィルタ層の膜厚に等しい。このため、表示領域及び額縁領域におけるカラーフィルタ層を区別して作成する必要はなく、同時に形成することが可能になるので、工程数を増やさないで済む。また、額縁領域近辺で段差が生じないので、その段差に起因する表示斑の発生を抑制することが可能になる。
【００３２】
本願実施例によれば、複数のカラーフィルタ層及び第１電極間に、例えばアクリル樹脂より成る透明な保護膜（オーバーコート層）が設けられているので、表示領域及び額縁領域を一層平坦化することが可能になる。
【００３３】
本願実施例によれば、額縁領域内に、液晶表示パネルの厚みを規制するスペーサ部材を設けることが可能になる。額縁領域と表示領域の間に段差があったならば、そのようなスペーサ部材を設ける意義は少ない。額縁領域における隙間が大きければ、スペーサ部材を設けてもセルギャップを維持することに寄与しない一方、隙間が小さければ表示領域周辺のセルギャップを大きくするので表示斑が発生する虞があるからである。段差を実質的に無くすことで、始めて、スペーサ部材を額縁領域に設けることが有意義になる。セルギャップを一定に維持するスペーサの機能を、表示領域及び額縁領域の全域にわたって充分に発揮させることが可能になるので、段差に起因する問題に効果的に対処することが可能になる。
【００３４】
本願実施例によれば、ある色のカラーフィルタ層の単位面積当たりの占有率が、別の色のカラーフィルタ層のものと異なるように、複数のカラーフィルタ層を形成することができる。これにより、所望の色に色付いた額縁領域を形成することが可能になる。額縁領域の意図しない色への色付きは回避されるべきであるが、製品用途によっては、特定色に色付いた額縁領域を形成することが好ましい場合もあり得る。本願実施例によれば、額縁領域に３原色のカラーフィルタ８０６’が多数設けられているので、これらの色彩を調整することで、液晶層への合成光を、白色光だけでなく、意図的に特定色に色付けることが可能になる。
【００３５】
以下、本発明が教示する手段を列挙する。
【００３６】
（付記１）  画像を表示する表示領域、及び前記表示領域周囲の額縁領域を有する液晶表示パネルであって、前記額縁領域において、
透明基板と、
ある色のカラーフィルタ層及び別の色のカラーフィルタ層を含み、互いに隣り合う位置関係で前記透明基板上に設けられた複数のカラーフィルタ層と、
前記複数のカラーフィルタ層に対向する第１電極層と、
前記第１電極層に対向する第２電極層と、
前記第１及び第２電極層の間に介在する液晶層
を備えることを特徴とする液晶表示パネル。
【００３７】
（付記２）  前記複数のカラーフィルタ層に、赤色、緑色及び青色のカラーフィルタ層が含まれることを特徴とする付記１記載の液晶表示パネル。
【００３８】
（付記３）  前記液晶層が、ノーマリブラックモードの液晶より成ることを特徴とする付記１記載の液晶表示パネル。
【００３９】
（付記４）  前記第１及び第２電極層が、同電位に維持されることを特徴とする付記１記載の液晶表示パネル。
【００４０】
（付記５）  前記額縁領域内のカラーフィルタ層の膜厚が、前記表示領域内のカラーフィルタ層の膜厚に等しいことを特徴とする付記１記載の液晶表示パネル。
【００４１】
（付記６）  前記複数のカラーフィルタ層及び前記第１電極間に透明な保護膜が設けられていることを特徴とする付記１記載の液晶表示パネル。
【００４２】
（付記７）  前記額縁領域内に、当該液晶表示パネルの厚みを規制するスペーサ部材が設けられていることを特徴とする付記１記載の液晶表示パネル。
【００４３】
（付記８）  ある色のカラーフィルタ層の単位面積当たりの占有率が、別の色のカラーフィルタ層のものと異なるように、前記複数のカラーフィルタ層が形成されていることを特徴とする付記１記載の液晶表示パネル。
【００４４】
【発明の効果】
以上のように本発明によれば、液晶表示パネルの表示領域周辺の額縁の機能を向上させることが可能になる。更に、額縁に専用のＢＭ層を設けることなしに、額縁の機能を向上させることが可能になる。また、額縁近辺の表示斑を抑制することも可能になる。更に、額縁が意図されていない色に色付くことを抑制することも可能になる。
【００４５】
【図面の簡単な説明】
【図１】図１は、液晶表示パネルの模式的な図を示す。
【図２】図２は、従来の液晶表示パネルの部分拡大図を示す。
【図３】図３は、従来の他の液晶表示パネルの部分断面図を示す。
【図４】図４は、従来の他の液晶表示パネルの部分断面図を示す。
【図５】図５は、従来の他の液晶表示パネルの部分断面図を示す。
【図６】図６は、従来の他の液晶表示パネルの部分断面図を示す。
【図７】図７は、本願実施例による液晶表示パネルを製造する際に形成される薄膜トランジスタを示す図である。
【図８】図８は、図７の工程の後に形成される構造を示す図である。
【図９】図９は、図８の工程の後に形成される構造を示す図である。
【図１０】図１０は、図８の工程の後に形成される他の構造を示す図である。
【符号の説明】
１０２  表示領域
１０４  額縁領域
２０２  表示領域
２０４  額縁領域
２０６  ガラス基板
２０８  薄膜トランジスタ
２１０  画素電極
２１２  ガラス基板
２１４，２１５  カラーフィルタ
２１６  対向電極
２１７  オーバーコート層
２１８，２１９  遮光膜
２２０  シール材
２２２  ビーズスペーサ
７０２  透明基板
７０４  ゲート電極
７０６  絶縁膜
７０８  半導体層
７１０  ソース電極
７１２  ドレイン電極
７１４  絶縁膜
８０４  薄膜トランジスタ
８０６  カラーフィルタ
８１２  オーバーコート層
８１４  画素電極
８１６  透明基板
８１８  対向電極
８２０  シール材
８２２，８２３  スペーサ
９０２  表示領域
９０４  額縁領域
【図１】
2004302297.tif 000003
【図２】
2004302297.tif 000004
【図３】
2004302297.tif 000005
【図４】
2004302297.tif 000006
【図５】
2004302297.tif 000007
【図６】
2004302297.tif 000008
【図７】
2004302297.tif 000009
【図８】
2004302297.tif 000010
【図９】
2004302297.tif 000011
【図１０】
2004302297.tif 000012